(57)【特許請求の範囲】
【請求項１】
複数の回線データ信号列を無線フレームにスタッフ多重して伝送する無線伝送装置であって、
無線伝送用オーバーヘッドに、無線フレームのペイロードにおける、少なくともＬＡＮデータのチャネル割当情報としてシリアルパラレル変換の順番情報を含ませ、前記無線フレームのペイロードに、ＬＡＮデータ、又は、ＬＡＮデータと回線データを多重して無線伝送する手段を備えている、ことを特徴とする無線伝送装置。
【請求項２】
前記ＬＡＮデータは、前記回線データ信号列に対して為されるフレーミング処理を受けず、前記ＬＡＮデータを格納するバッファから、直接、無線フレームにマッピングされる、ことを特徴とする請求項１記載の無線伝送装置。
【請求項３】
前記無線伝送用オーバーヘッドにデータのチャネル割当情報を含む無線フレームを受信した場合、前記チャネル割当情報に基づき、前記無線フレームのペイロードに多重された、ＬＡＮデータ、又は、ＬＡＮデータと回線データを分離する手段を備えている、ことを特徴とする請求項１記載の無線伝送装置。
【請求項４】
前記無線フレームにＬＡＮデータを割り当てる場合に、該当するチャネルのペイロードとチャネルのオーバーヘッドビットとがともにＬＡＮデータ領域として、割り当てられる、ことを特徴とする請求項１乃至３のいずれか１項に記載の無線伝送装置。
【請求項５】
前記無線フレームに対するマッピング制御信号を入力し、前記マッピング制御信号に基づき、ＬＡＮ有線伝送路から入力されるＬＡＮデータを、無線フレーム上の指定した伝送領域にマッピングするＬＡＮ終端回路を備え、ＰＤＨ（Ｐｌｅｓｉｏｃｈｒｏｎｏｕｓ  Ｄｉｇｉｔａｌ  Ｈｉｅｒａｒｃｈｙ）又はＳＤＨ（Ｓｙｎｃｈｒｏｎｏｕｓ  Ｄｉｇｉｔａｌ  Ｈｉｅｒａｒｃｈｙ）データとＬＡＮデータとを同時に伝送可能としてなる、ことを特徴とする請求項１乃至４のいずれか１項に記載の無線伝送装置。
【請求項６】
無線伝送用オーバーヘッドに、無線フレームのペイロードにおける、少なくともＬＡＮデータのチャネル割当情報としてシリアルパラレル変換の順番情報を含ませ、
前記無線フレームのペイロードに、ＬＡＮデータ、又は、ＬＡＮデータと回線データを多重して無線伝送する、
ことを特徴とする無線伝送方法。
【請求項７】
前記ＬＡＮデータは、前記回線データ信号列に対して為されるフレーミング処理を受けず、前記ＬＡＮデータを格納するバッファから、直接に、無線フレームにマッピングされる、ことを特徴とする請求項６記載の無線伝送方法。
【請求項８】
前記無線伝送用オーバーヘッドにデータのチャネル割当情報を含む無線フレームを受信した場合、前記チャネル割当情報に基づき、前記無線フレームのペイロードに多重された、ＬＡＮデータ、又は、ＬＡＮデータと回線データを分離する、ことを特徴とする請求項６記載の無線伝送方法。
【請求項９】
前記無線フレームにＬＡＮデータを割り当てる場合に、該当するチャネルのペイロードとチャネルのオーバーヘッドビットとがＬＡＮのデータ領域として、割り当てられる、ことを特徴とする請求項６乃至８のいずれか１項に記載の無線伝送方法。
【請求項１０】
無線伝送用オーバーヘッドに、無線フレームのペイロードにおける、少なくともＬＡＮデータのチャネル割当情報としてシリアルパラレル変換の順番情報を含ませ、前記無線フレームのペイロードに、ＬＡＮデータ、又は、ＬＡＮデータと回線データを多重して無線伝送する送信装置と、
無線伝送用オーバーヘッドにチャネル割当情報を含む無線フレームを受信した場合、前記チャネル割当情報に基づき、前記無線フレームのペイロードに多重されたデータを分離する受信装置と、
を備えている、ことを特徴とする無線伝送システム。
【発明の詳細な説明】
【技術分野】
【０００１】
本発明は、回線データ信号列とＬＡＮデータを伝送する無線伝送装置及び無線伝送方法に関する。
【背景技術】
【０００２】
従来の無線伝送装置は、複数のＰＤＨ（Ｐｌｅｓｉｏｃｈｒｏｎｏｕｓ  Ｄｉｇｉｔａｌ  Ｈｉｅｒａｒｃｈｙ）データ信号列を無線フレームに多重して伝送している。ＬＡＮ（Ｌｏｃａｌ  Ａｒｅａ  Ｎｅｔｗｏｒｋ）網の普及に伴い、ＬＡＮインタフェースを実装し、無線伝送路を介してＬＡＮデータの伝送を行う必要性が高まっている。特許文献１には、回線データ信号列の伝送とＬＡＮデータの伝送を同時に行う無線伝送装置として、図６に示すような構成が開示されている。【０００３】
図６において、無線伝送装置Ａと無線伝送装置Ｂは、ｎ本（ｎは、自然数）のＰＤＨデータ信号列入出力インタフェースと、ｍ本（ｍは、自然数）のＬＡＮ有線伝送路インタフェースと、を備え、ｎ本のＰＤＨデータ信号列を収容可能な無線伝送容量を持つ伝送装置である。ＰＤＨデータ信号列の伝送を行う場合、無線伝送装置Ａにおいて、各ＰＤＨデータ信号列入力（回線データ入力）１０１−ａ〜１０ｎ−ａは、スタッフ回路１１−ａ〜１ｎ−ａで、それぞれ無線フレーム周波数にスタッフ同期化され、無線フレーム多重回路（ＭＵＸ）４−ａで、無線フレームに多重した後、無線送受信回路６−ａで変調され、無線伝送路を介して、対向の無線伝送装置Ｂに伝送される。無線伝送装置Ｂは、無線伝送装置Ａから受信したデータを、無線送受信回路６−ｂで復調し、無線フレーム分離回路（ＤＥＭＵＸ）回路５−ｂで、無線フレーム同期を確立した後、無線フレームに多重されているＰＤＨデータ信号列を抽出し、デスタッフ回路２１−ｂ〜２ｎ−ｂで、デスタッフ処理を行い、ＰＤＨデータ信号列（回線データ出力）２０１−ｂ〜２０ｎ−ｂを出力する。【０００４】
無線フレームデータは、例えば図７（ａ）に示すように、無線伝送用オーバーヘッド（「無線フレームヘッダ」ともいう）ＯＨＢと、ｎチャネル分のオーバーヘッドＯＨＢ１〜ＯＨＢｎと、ペイロードで構成される。無線伝送用オーバーヘッドＯＨＢには、フレームビットやアラーム情報、補助信号等無線伝送に必要な情報が多重される。また、１つのチャネルのペイロードには、ＰＤＨデータ信号列１信号分が多重され、チャネル単位のオーバーヘッドＯＨＢ１〜ＯＨＢｎには、ペイロードに多重されているＰＤＨデータ信号列１信号分のスタッフ情報やアラーム情報が多重される。【０００５】
無線フレームの全チャネルを、ＰＤＨデータ信号列の伝送としてアサインした場合、無線伝送装置Ａにおいて、外部から入力されるｎ本のＰＤＨデータ信号列入力（回線データ入力）１０１−ａ〜１０ｎ−ａは、接続されるスタッフ回路１１−ａ〜１ｎ−ａにおいて、無線フレーム周波数に対してスタッフ同期方式で同期化され、それぞれ無線フレーム多重回路（ＭＵＸ）４−ａにおいて、無線フレームの各チャネルに多重された後、無線送受信回路６−ａを経由して変調され、無線伝送路に出力される。無線伝送装置Ｂにおいて無線伝送路から入力された受信データは、無線送受信回路６−ｂを経由して復調され、無線フレーム分離回路（ＤＥＭＵＸ）５−ｂに入力される。無線フレーム分離回路（ＤＥＭＵＸ）５−ｂでは、無線フレームデータの各チャネルからＰＤＨデータ信号列を抽出し、各々対応するデスタッフ回路２１−ｂ〜２ｎ−ｂで、デスタッフ操作を行い、ＰＤＨデータ信号列出力（回線データ出力）２０１−ｂ〜２０ｎ−ｂとして装置外部に出力する。【０００６】
ＬＡＮ有線伝送路から入力されるＬＡＮ受信データを無線フレームのチャネルのペイロードを利用して伝送する場合、ＬＡＮ終端回路３−ａは、ＬＡＮ有線伝送路３０１−ａ〜３０ｍ−ａから入力される受信データを各々、一旦、受信バッファ（不図示）に蓄積し、読み出し制御信号に従いパケット単位でＬＡＮ受信データを出力し、マッピング制御信号７−ａに従い、無線フレームへの多重データを生成する。ＬＡＮ有線伝送路３０１−ａ〜３０ｍ−ａから受信バッファを介して入力されるＬＡＮ受信データは、マッピング制御信号７−ａにより設定されたチャネル単位の多重データ速度で出力される。【０００７】
図７（ｂ）において、ＬＡＮ有線伝送路３０１−ａから入力されたＬＡＮ受信データは、チャネル１の帯域を割り当て、ＬＡＮ有線伝送路３０２−ａから入力されたＬＡＮ受信データは、ペイロードのチャネル２と３の帯域を割り当て、残りのペイロードのチャネルには、ＰＤＨデータ信号列として割り当てる。このように、マッピング制御信号７−ａにより、個々のＬＡＮ有線伝送路に対して独立した無線側の帯域を設定でき、且つ個々のＬＡＮ有線伝送路に対応する無線側の帯域を保障する。【０００８】
さらに特許文献１には、図７（ｃ）に示すように、無線フレームのチャネルに、ＬＡＮ受信データをアサインする場合に、該当するチャネルのペイロードだけでなく、チャネルのオーバーヘッドビットもＬＡＮのデータ領域としてアサインすることにより、ＬＡＮデータの伝送容量を上げることが可能である旨が記載されている。【０００９】
【特許文献１】特開２００５−２４４３２８号公報
【発明の開示】
【発明が解決しようとする課題】
【００１０】
特許文献１の開示事項は、本書に引用をもって繰り込み記載されているものとする。以下に本発明による関連技術の分析を与える。【００１１】
上記した関連技術においては、回線データ信号列とＬＡＮデータを無線フレームに多重して伝送可能としているが、本発明者が鋭意研究した結果、いくつかの改善を行うことで、さらなる高効率伝送、高スループットを実現可能であることが判明した。【００１２】
例えば図７（ａ）、図７（ｂ）の無線フレームの場合、回線データ信号列単位でデータ位相を揃える必要がある。すなわち、ｎチャネル分のＯＨＢ１からＯＨＢｎの先頭の位相をあわせる（チャネル同期）必要がある。また、ＬＡＮデータを、例えばＰＤＨ  Ｅ１アクセスリンク上で伝送する場合、Ｅ１フレーミングによる伝送容量の低下を招く。さらに、位相変動吸収による遅延量が増加する。【００１３】
さらに、図７（ｃ）の無線フレーム構成の場合、チャネルのオーバーヘッドビットもＬＡＮのデータ領域としてアサインすることにより、ＬＡＮデータの伝送容量を上げることは可能ではあるが、ＬＡＮデータとして割当てるチャネルの変更、伝送容量を変更する場合等、データが瞬断するという問題を有している。【００１４】
例えば送信局（例えば図６の無線伝送装置Ａ）側から送信する無線フレームのチャネル割当（伝送容量）を変更する場合、該無線フレームを受信する前に受信局（例えば図６の無線伝送装置Ｂ）側では、当該無線フレームを受信し分離する段階で変更されたチャネル割当情報を受けとっていないと、変更前のチャネル割当にしたがってデータの分離（シリアルパラレル変換）を行うことになる。それにより、受信データエラー等が発生することになり、スループットの低下を招く。図６において、マッピング制御信号は不図示の上位装置(管理装置)からそれぞれ送信局、受信局の無線伝送装置に供給されており、タイミング遅延差、スキュー等により、送信局と受信局間でのチャネル割当に不整合が生じる場合がある。マッピング制御信号に関して送信局と受信局間で同期をとるには、無線フレームの合間等にハンドシェイク等が必要となり、無線フレームの伝送のスループットの低下を招く。【００１５】
したがって、本発明の目的は、無線フレームを用いて回線データ及びＬＡＮデータを無線伝送するにあたり、無線フレームのチャネル構成変更に対して、効率的、且つ、高スループットで伝送可能とする無線伝送装置及び無線伝送方法を提供することにある。
【課題を解決するための手段】
【００１６】
本願で開示される発明は、上記課題を解決するため、概略以下のように構成される。【００１７】
本発明の一つの側面によれば、複数の回線データ信号列を無線フレームにスタッフ多重して伝送する無線伝送装置であって、無線伝送用オーバーヘッドに、無線フレームのペイロードにおけるデータのチャネル割当情報を含ませ、前記無線フレームのペイロードに、ＬＡＮデータ、又は、ＬＡＮデータと回線データを多重して無線伝送する手段を備えている無線伝送装置が提供される。【００１８】
本発明において、前記ＬＡＮデータは、前記回線データ信号列に対して為されるフレーミング処理を受けず、前記ＬＡＮデータを格納するバッファから、直接、無線フレームにマッピングされる。【００１９】
本発明の他の側面によれば、無線伝送用オーバーヘッドにデータのチャネル割当情報を含む無線フレームを受信した場合、前記チャネル割当情報に基づき、前記無線フレームのペイロードに多重された、ＬＡＮデータ、又は、ＬＡＮデータと回線データを分離する手段を備えている無線伝送装置が提供される。【００２０】
本発明において、無線フレームにＬＡＮデータを割り当てる場合に、該当するチャネルのペイロードとチャネルのオーバーヘッドビットとがＬＡＮのデータ領域として、割り当てられる。【００２１】
本発明においては、無線フレームに対するマッピング制御信号を入力し、前記マッピング制御信号に基づき、ＬＡＮ有線伝送路から入力されるＬＡＮデータを、無線フレーム上の指定した伝送領域にマッピングすることにより、ＰＤＨ（Ｐｌｅｓｉｏｃｈｒｏｎｏｕｓ  Ｄｉｇｉｔａｌ  Ｈｉｅｒａｒｃｈｙ）又はＳＤＨ（Ｓｙｎｃｈｒｏｎｏｕｓ  Ｄｉｇｉｔａｌ  Ｈｉｅｒａｒｃｈｙ）データとＬＡＮデータとを同時に伝送可能としている。【００２２】
本発明によれば、無線伝送用オーバーヘッドに、無線フレームのペイロードにおけるデータのチャネル割当情報を含ませ、
前記無線フレームのペイロードに、ＬＡＮデータ、又は、ＬＡＮデータと回線データを多重して無線伝送する、
上記工程を含む無線伝送方法が提供される。【００２３】
本発明に係る方法において、前記ＬＡＮデータは、前記回線データ信号列に対して為されるフレーミング処理を受けず、前記ＬＡＮデータを格納するバッファから、直接に、無線フレームにマッピングされる。【００２４】
本発明によれば、無線伝送用オーバーヘッドにデータのチャネル割当情報を含む無線フレームを受信した場合、前記チャネル割当情報に基づき、前記無線フレームのペイロード部に多重された、ＬＡＮデータ、又は、ＬＡＮデータと回線データを分離する、上記工程を含む無線伝送方法が提供される。【００２５】
本発明に係る方法において、無線フレームにＬＡＮデータを割り当てる場合に、該当するチャネルのペイロードとチャネルのオーバーヘッドビットとがＬＡＮのデータ領域として、割り当てられる。
【発明の効果】
【００２６】
本発明によれば、無線フレームのペイロードにおけるデータのチャネル割当情報を無線オーバーヘッドに含ませることで、ＬＡＮデータがどのチャネルにアサインされていても瞬断なく伝送可能となり、高効率、高スループットの伝送を可能としている。
【図面の簡単な説明】
【００２７】
【図１】本発明の一実施例の構成を示す図である。
【図２】本発明の一実施例のフレームフォーマットの例を示す図である。
【図３】本発明の一実施例に無線フレームの変更を説明する図である。
【図４】本発明の一実施例のＬＡＮ終端回路の要部の構成を示す図である。
【図５】（ａ）〜（ｃ）は、ＬＡＮ終端回路のポート振り分け回路の構成例を示す図である。
【図６】関連技術（特許文献１）の構成を示す図である。
【図７】（ａ）〜（ｃ）は関連技術のフレームフォーマットの例を示す図である。
【符号の説明】
【００２８】
１１−ａ、…１ｎ−ａ、１１−ｂ、…１ｎ−ｂ  スタッフ回路
２１−ａ、…２ｎ−ａ、２１−ｂ、…２ｎ−ｂ  デスタッフ回路
３−ａ、３−ｂ  ＬＡＮ終端回路
４−ａ、４−ｂ  無線フレーム多重回路（ＭＵＸ）
４１−ａ、４１−ｂ  無線ヘッダ作成部
５−ａ、５−ｂ  無線フレーム分離回路（ＤＥＭＵＸ）
５１−ａ、５１−ｂ  無線ヘッダ解析部
６−ａ、６−ｂ  無線送受信回路
７−ａ、７−ｂ  マッピング制御信号
８  ポート振り分け回路
１０１−ａ、…１０ｎ−ａ、１０１−ｂ、…１０ｎ−ｂ  回線データ入力
２０１−ａ、…２０ｎ−ａ、２０１−ｂ、…２０ｎ−ｂ  回線データ出力
３０１−ａ、…３０ｍ−ａ、３０１−ｂ、…３０ｍ−ｂ  ＬＡＮ有線伝送路
３１１、３１２、…３１ｍ  受信バッファ
７０１、７０２、…７０ｍ  ＬＡＮ受信データ
８０１、８０２、…８０ｍ  多重データ
【発明を実施するための最良の形態】
【００２９】
本発明の実施形態について説明する。本発明の一態様においては、無線伝送用オーバーヘッドビット（ＯＨＢ）に、当該無線フレームのペイロードにおけるデータのチャネル割当情報を含ませ、ＬＡＮデータ、又は、ＬＡＮデータと回線データを、無線フレームの伝送領域に多重して無線伝送する。【００３０】
本発明の一態様においては、無線フレームのチャネルにＬＡＮデータを割り当てる場合に、該当するチャネルのペイロードとチャネルのオーバーヘッドビットとが、ＬＡＮのデータ領域として割り当てられ、ＬＡＮデータの伝送容量を上げ、ＬＡＮのデータは動的に任意のチャネル領域に割当可能とされる。【００３１】
ＬＡＮデータは、ＰＤＨのＥ１フレーミング等は施されず、直接、無線フレームにマッピングされる。【００３２】
受信側の無線伝送装置は、無線伝送用オーバーヘッドのチャネル割当情報に基づき、無線フレーム内に多重されたデータを分離（シリアル・パラレル変換）する。また、本発明の一態様によれば、無線フレームに対するマッピング制御信号を入力し、前記マッピング制御信号に基づき、ＬＡＮ有線伝送路から入力されるＬＡＮデータを、無線フレーム上の指定した伝送領域にマッピングすることにより、ＰＤＨ／ＳＤＨデータとＬＡＮデータとを同時に伝送可能としている。【００３３】
本発明の一態様においては、伝送容量（ＰＤＨデータ列のチャネル数）をあらかじめ決定し、直接無線フレームに多重することで、データ位相合わせの必要がなくなる。【００３４】
また、受信バッファの読み出しクロックを伝送容量に合わせて変化させるようにしてもよい。伝送容量の変更指定時、無線フレーム単位で伝送容量と同じ周波数で受信バッファデータを読み出し、該当するペイロード、ＯＨＢビットに多重する。【００３５】
さらに、本発明の一態様においては、無線伝送用オーバーヘッドにＬＡＮデータの割当情報を多重する。無線フレーム単位でどのチャネルにどの順番でデータがアサインされているかを、対向局に伝送することにより、データの瞬断なく、ＭＵＸ（シリアルパラレル変換）、ＤＥＭＵＸ（パラレルシリアル変換）を実行できる。【００３６】
本発明の一態様においては、シリアルパラレルのナンバリング情報を、無線オーバヘッドビット（ＯＨＢ）に多重することで、どのチャネルにアサインされていても瞬断なく伝送可能となる。【００３７】
かかる構成により遅延量（伝送遅延）の縮減、最小化を図ることができ、伝送容量を拡大し、容量変更による瞬断を防ぐことができ、高効率、高スループット伝送を実現する。以下実施例に即して説明する。
【実施例】
【００３８】
図１は、本発明の一実施例の構成を示す図である。図１において、無線伝送装置Ａ、Ｂはｎ本のＰＤＨデータ信号列を互いに送受信可能な無線伝送容量を持つ装置である。【００３９】
無線伝送装置Ａは、回線データを入力しスタッフパルスを挿入しビット列間の同期化を行うスタッフ回路１１−ａ〜１ｎ−ａ（ただし、ｎは所定の正整数）と、無線フレーム多重回路（ＭＵＸ）４−ａと、無線フレーム分離回路（ＤＥＭＵＸ）５−ａと、無線送受信回路６−ａと、デスタッフ処理（スタッフパルス削除）を行うデスタッフ回路２１−ａ〜２ｎ−ａと、ＬＡＮ終端回路３−ａを備えている。無線伝送装置Ｂも同様の構成とされる。【００４０】
無線伝送装置Ａの送信側について説明する。ＰＤＨデータ信号列入力（回線データ入力）１０１−ａは、スタッフ回路１１−ａにおいて無線フレーム周波数に対してスタッフ同期方式で同期化され、無線フレーム多重回路（ＭＵＸ）４−ａへ出力される。以下同様に、ＰＤＨデータ信号列入力（回線データ入力）１０ｎ−ａも、対応するスタッフ回路１ｎ−ａにより、無線フレーム周波数にスタッフ同期化されて無線フレーム多重回路（ＭＵＸ）４−ａへ出力される。【００４１】
無線フレーム多重回路（ＭＵＸ）４−ａは、スタッフ回路１１−ａ〜１ｎ−ａから入力されたｎ本のスタッフ同期化後のＰＤＨデータ信号列を、無線フレームの伝送領域に多重し、無線送受信回路６−ａに出力する。無線フレームは、無線伝送に必要なオーバーヘッドと、チャネル単位のオーバーヘッドと、ペイロードとを備えて構成されており、１つのチャネルのペイロードに、ＰＤＨデータ信号列１信号分を収容する。【００４２】
また、チャネルのオーバーヘッドには、ペイロードに多重されているＰＤＨデータ信号列のスタッフ情報や、アラーム情報が多重される。【００４３】
ＬＡＮ終端回路３−ａは、複数のＬＡＮ有線伝送路３０１−ａ〜３０ｍ−ａ（ただし、ｍは所定の正整数）から入力されるＬＡＮ受信データを、それぞれパケット単位で受信バッファ（不図示）に格納する。すなわち、ＬＡＮ終端回路３−ａは、マッピング制御信号７−ａに従い、ＬＡＮ有線伝送路３０１−ａ〜３０ｍ−ａに対する無線フレーム側の伝送容量を、無線フレームのチャネル単位で決定する。また、ＬＡＮ終端回路３−ａは、ＬＡＮ有線伝送路３０１−ａ〜３０ｍ−ａからそれぞれ入力されるＬＡＮ受信データを、パケット単位でカプセル化して、多重データを生成し、無線フレーム多重回路（ＭＵＸ）４−ａに出力する。【００４４】
無線フレーム多重回路（ＭＵＸ）４−ａは、ＬＡＮ終端回路３−ａから入力される多重データをマッピング制御信号７−ａによって定められた無線フレームの伝送領域に多重する。すなわち、無線フレーム多重回路（ＭＵＸ）４−ａは、上位装置（不図示）等から設定されるマッピング制御信号７−ａに従い、無線フレームの各チャネルをＬＡＮデータとＰＤＨデータ信号列のどちらにアサインするか決定する。そして、無線フレーム多重回路（ＭＵＸ）４−ａは、ＬＡＮデータとしてアサインするチャネル分の速度で、ＬＡＮ終端回路３−ａの受信バッファから、ＬＡＮ受信データをパケット単位で読み出し、指定したチャネルのペイロードに多重する。また、無線フレーム多重回路（ＭＵＸ）４−ａは、ＰＤＨデータ信号列としてアサインしたチャネルには、スタッフ回路から入力されるスタッフ処理後のＰＤＨデータ信号列を収容して無線フレームを構成し、無線送受信回路６−ａに出力する。【００４５】
本実施例において、ＰＤＨデータ信号列（回線データ）とＬＡＮデータは、図２に示すように、無線フレームのチャネルに、ＬＡＮデータを割り当てる場合に、該当するチャネルのペイロードとチャネルのオーバーヘッドビットとが全てＬＡＮのデータ領域として割り当てられる。無線フレームのＬＡＮデータの該当チャネルには、ＬＡＮ終端回路のバッファ（不図示）に格納されたＬＡＮデータがそのまま（チャネルのオーバーヘッドビットに負荷、位相合わせ等なく）、無線フレームのペイロード領域に格納される。【００４６】
図２に示すように、無線伝送用オーバーヘッドには、無線フレームのペイロードにおけるデータのチャネル割当情報（データアサイン情報）が格納される。【００４７】
無線フレーム伝送領域のうち、ＬＡＮデータがアサインされた伝送領域以外は、チャネルのオーバーヘッド＋回線データの伝送領域としてアサインして、無線フレームデータを生成する。【００４８】
無線伝送用オーバーヘッドのデータアサイン情報は、図２に示す例では、伝送される無線フレームにおいて、チャネル１から３がそれぞれ回線データ１、２、３、チャネル４からチャネルｎは、複数チャネルのＬＡＮデータ（チャネルのオーバーヘッド分を伝送領域とする）が割当てられていることを対向する受信装置に通知するための情報を含む。【００４９】
再び図１を参照すると、無線フレーム多重回路（ＭＵＸ）４−ａの無線ヘッダ作成部４１−ａは、無線伝送用オーバーヘッドビット（ＯＨＢ）に、無線フレームのチャネル割当情報を含む無線フレーム構成情報を設定する。作成された無線フレームデータ（無線伝送用オーバーヘッドビットとペイロード部のシリアルビットデータ）は無線送受信回路６−ａに出力される。無線送受信回路６−ａは、無線フレームデータを変調し、無線周波数に搬送して、対向の無線伝送装置Ｂに伝送する。【００５０】
次に、受信側の構成について無線伝送装置Ｂで説明する。無線伝送装置Ａから無線伝送路を介して入力されたデータは無線送受信回路６−ｂにて復調され、無線フレーム同期を取って無線フレームデータを無線フレーム分離回路（ＤＥＭＵＸ）５−ｂに出力する。【００５１】
無線フレーム分離回路（ＤＥＭＵＸ）５−ｂは、無線フレーム分離回路（ＤＥＭＵＸ）５−ｂの無線ヘッダ解析部５１−ｂにおいて、無線フレーム同期確立後、無線伝送用オーバーヘッドビット（ＯＨＢ）のデータ割当（アサイン）構成情報を解析し、無線フレーム上のＬＡＮデータがアサインされているチャネルと、ＰＤＨデータ信号列がアサインされているチャネルをそれぞれ別々に抽出する。そして、無線フレーム分離回路（ＤＥＭＵＸ）５−ｂは、ＬＡＮデータがアサインされているチャネルデータを、ＬＡＮ終端回路３−ｂへ、ＰＤＨデータ信号列がアサインされているチャネルデータを対応するデスタッフ回路に出力する。【００５２】
ＬＡＮ終端回路３−ｂは、無線フレーム分離回路（ＤＥＭＵＸ）５−ｂから入力されるＬＡＮデータをパケット単位で送信バッファに蓄え、各ＬＡＮ有線伝送路３０１−ｂ〜３０ｍ−ｂに出力する。なお、無線伝送装置ＢからＡへの伝送は、無線伝送装置ＡからＢへの伝送と同様であるため、説明は省略する。【００５３】
図３は、本発明の一実施例に無線フレームを説明する図である。フレーム＃ｎでは、無線伝送用オーバーヘッドには、データアサイン情報として、チャネル＃１から＃４がＬＡＮデータが割当てられることが示されている。なお、図３において、ペイロードの数字は、パラレルビットデータのシリアル変換の順番を表している。次のフレーム＃ｎ＋１では、チャネル＃１〜＃３に、ＬＡＮデータが割当てられ、チャネル＃４に、回線データが割当てられる。フレーム＃ｎ＋１の無線伝送用オーバーヘッドには、データアサイン情報として、チャネル＃１〜＃３がＬＡＮ、チャネル＃４がＥ１であることが示されている。【００５４】
本実施例においては、連続フレームでペイロードにおけるチャネル割当が変更されても、無線伝送用オーバーヘッドのデータアサイン情報に基づき、無線フレーム分離部（ＤＥＭＵＸ）では、多重化されて伝送されたシリアルのＬＡＮデータをパラレルデータに展開することができる。【００５５】
図４は、図１のＬＡＮ終端回路３−ａの構成の要部を示す図である。なお、無線伝送装置ＢのＬＡＮ終端回路３−ｂも同一構成とされる。図４を参照すると、ＬＡＮ有線伝送路３０１−ａ〜３０ｍ−ａから入力されるＬＡＮ受信データは、各々受信バッファ３１１〜３１ｍに蓄えられる。ポート振り分け回路８は、受信バッファ３１１〜３１ｍからパケット単位で、ＬＡＮ受信データを読み出してカプセル化する。そして、ポート振り分け回路８は、マッピング制御信号７−ａに従い、各ＬＡＮ有線伝送路に対する無線伝送路側の伝送容量を、無線フレームのチャネル単位で指定して、ペイロードへの多重データを生成する。【００５６】
図５（ａ）乃至（ｃ）は、それぞれ、図４のポート振り分け回路８の構成例を示す図である。図５（ａ）を参照すると、ポート振り分け回路８は、複数のＬＡＮ有線伝送路から入力されるＬＡＮ受信データ７０１〜７０ｍを、まとめて多重データ８０１を出力する。図５（ｂ）を参照すると、ポート振り分け回路８は、各々のＬＡＮ有線伝送路のＬＡＮ受信データ７０１〜７０ｍに対して、個別の多重データ８０１〜８０ｍを出力する。図５（ｃ）を参照すると、ポート振り分け回路８は、複数のＬＡＮ受信データを指定した組み合わせでまとめて多重データを出力する。【００５７】
図５（ｃ）に示す例では、２つのＬＡＮ受信データ７０１、７０２を１つにまとめて多重データ８０１を出力し、複数のＬＡＮ受信データ７０３〜７０ｍをまとめて１つの多重データ８０２を出力している。ＬＡＮ有線伝送路を使用している利用者が、同じネットワーク網にある場合、無線フレームの１つの帯域にまとめて伝送することにより、無線帯域の利用効率を上げることができる。また、複数のＬＡＮ有線伝送路の接続先が別々のネットワークである場合、ネットワーク単位で無線側の帯域を独立に割り当てることにより、他のネットワークからの余計なデータの流れ込みによるスループットの低下を防ぎ、ネットワーク単位で無線側の伝送帯域を保障することが可能となる。【００５８】
このようにして、本発明の一実施例の無線伝送装置では、ＰＤＨデータ信号列インタフェースとＬＡＮインタフェースを持ち、各々のデータを無線フレームのチャネル単位でマッピングすることによりＰＤＨデータ信号列とＬＡＮデータを同時に伝送可能としており、さらに、前後する無線フレーム間で無線フレーム構成（ＬＡＮデータのチャネル割当、伝送容量）が変更された場合でも、瞬断なく、無線伝送が行われる。【００５９】
また、本発明の一実施例の無線伝送装置においては、各ＬＡＮ有線伝送路に対して無線伝送路側の帯域を無線フレームのチャネル単位で個別に設定できるため、各有線伝送路に対する無線伝送路側の帯域を保障したサービスを提供できる。【００６０】
なお上記実施例では、無線フレームにＬＡＮデータと多重伝送される回線データ信号列としてＰＤＨデータを例に説明したが、ＳＤＨ（Ｓｙｎｃｈｒｏｎｏｕｓ  Ｄｉｇｉｔａｌ  Ｈｉｅｒａｒｃｈｙ）データに対しても同様に適用可能であることは勿論である。すなわち、本発明によれば、ＳＤＨデータとＬＡＮデータとを多重して対向局に無線伝送することができる。【００６１】
なお、本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
0005610510.tif 000002
【図２】
0005610510.tif 000003
【図３】
0005610510.tif 000004
【図４】
0005610510.tif 000005
【図５】
0005610510.tif 000006
【図６】
0005610510.tif 000007
【図７】
0005610510.tif 000008